(57)【要約】【課題】コンテンツが太陽光に負けない色温度に設定してあり且つ受信側が暗い状況である場合、又はコンテンツが夜間に合わせた色温度に設定してあり且つ受信側が明るい状況である場合に、極めて見づらいコンテンツとしてしまうことを解消する配色変換プログラム等を提供する。【解決手段】コンテンツ配信サーバ１０からインターネット１６を介してデータセンタ等のサーバ１２へ配信されたコンテンツは、サーバ１２側のディスク３８ａ等にコンテンツ７として記録される。光センサ２０ａ等により測定された光センサ２０ａ等側における測光量は、アクセスポイント１８ａ等および路側機２２ａ等を介してサーバ１２へ送信される。サーバ１２上で実行される配色変換処理プログラムは、光センサ２０ａ等により測定された測光量に応じてコンテンツ配信サーバ１０から配信されディスク３８ａ等に記録されたコンテンツ７の配色を変換した後、路側機２２ａ等側へ配信する。【選択図】  図１
2005210325.tif 000002
【特許請求の範囲】
【請求項１】
光センサにより測定された測光量に応じてコンテンツの配色を変換して配信するための配色変換装置における配色変換処理プログラムであって、該光センサは路側に設置されたアクセスポイントに備えられ該アクセスポイントを介して光センサ側における測光量を該配色変換装置へ送信し、該コンテンツはネットワークを介して該配色変換装置と接続されたコンテンツ配信サーバから配信されるものであり、該配色変換装置のコンピュータに、
前記光センサから送信された測光量に基づいて該光センサ側の明暗を判定させる明暗判定ステップ、
前記コンテンツ配信サーバから配信されたコンテンツにおける文字色及び背景色による配色に基づいて、コンテンツ全体の色温度の高低を判定させる色温度判定ステップ、
前記明暗判定ステップで光センサ側が暗いと判定され且つ前記色温度判定ステップでコンテンツの色温度が高いと判定された場合は該コンテンツの色温度を低くする方向に該コンテンツの配色を変換し、前記明暗判定ステップで光センサ側が明るいと判定され且つ前記色温度判定ステップでコンテンツの色温度が低いと判定された場合は該コンテンツの色温度を高める方向に該コンテンツの配色を変換する配色変換ステップ、
前記配色変換ステップで配色が変換されたコンテンツを前記アクセスポイントを介して配信させる配信ステップを実行させるための配色変換処理プログラム。
【請求項２】
請求項１記載の配色変換処理プログラムにおいて、前記光センサは車両に設置された車載装置に備えられ該車載装置及びアクセスポイントを介して該光センサ側における測光量を前記配色変換装置へ送信するものであり、
前記配信ステップは前記配色変換ステップで配色が変換されたコンテンツを前記アクセスポイントを介して前記車載装置側へ配信させることを特徴とする配色変換処理プログラム。
【請求項３】
光センサにより測定された測光量に応じてコンテンツの配色を変換するための車載装置における配色変換処理プログラムであって、該光センサは該車載装置の表示部の近傍に備えられ該表示部における測光量を該車載装置へ送信し、該コンテンツはネットワークを介して該車載装置と接続されたコンテンツ配信サーバから配信されるものであり、該車載装置のコンピュータに、
前記光センサから送信された測光量に基づいて前記表示部側の明暗を判定させる明暗判定ステップ、
前記コンテンツ配信サーバから配信されたコンテンツにおける文字色及び背景色による配色に基づいて、コンテンツ全体の色温度の高低を判定させる色温度判定ステップ、
前記明暗判定ステップで前記表示部側が暗いと判定され且つ前記色温度判定ステップでコンテンツの色温度が高いと判定された場合は該コンテンツの色温度を低くする方向に該コンテンツの配色を変換し、前記明暗判定ステップで該表示部側が明るいと判定され且つ前記色温度判定ステップでコンテンツの色温度が低いと判定された場合は該コンテンツの色温度を高める方向に該コンテンツの配色を変換する配色変換ステップを実行させるための配色変換処理プログラム。
【請求項４】
請求項１ないし３のいずれかに記載の配色変換処理プログラムを記録したコンピュータ読取り可能な記録媒体。
【発明の詳細な説明】
【技術分野】
【０００１】
本発明は、ディジタル・コンテンツ（以下、「コンテンツ」と略する。）を閲覧または受信する側の装置（特に表示部。以下、「受信側」と略す。）の光センサにより測定された測光量に応じてコンテンツの配色を変換して配信するための配色変換装置における配色変換処理プログラム等に関する。
【背景技術】
【０００２】
従来、コンテンツのデザインはコンテンツ作成者に任せられており、コンテンツの受信側の周辺における明るさを考慮した配色はなされてはいなかった。一方、コンテンツの受信は固定的なパーソナル・コンピュータ等でのみ行なわれる状態から、非特許文献１に示されるように、携帯電話、移動可能な情報端末装置または車両に搭載された車載端末装置でも可能な状態へと変化しつつある。これらの情報端末装置または車載端末装置等のディスプレイは種々の色温度を有している。ここで、色温度とは非特許文献２に記載されているように、熱放射する物体の色度に等しい色度の放射をする黒体の温度を絶対温度（Ｋ：ケルビン）で表したものである。晴れた日の外光の色温度が大体５５００Ｋとされており、これより色温度が低いと赤い感じとなり、逆に色温度が高いと青い感じとなる。つまり、色温度が低い光ほど長波長光を多く含むため赤い感じの光となり、色温度が高い光ほど短波長光を多く含むため青い感じの光となる。上述の情報端末装置または車載端末装置等のディスプレイの色温度は、バラツキがあるものの多くは大体９３００Ｋ、６５００Ｋまたは５０００Ｋの中から選択可能となっている。
【非特許文献１】新居宏壬、鷲野翔一編著、「ナビゲーションシステム」、第１１３頁−第１２４頁、２００１年７月３１日初版発行、株式会社山海堂。
【非特許文献２】田中俊一、末松安晴、大越孝敬共編、「オプトエレクトロニクス用語事典」、平成８年１１月２５日第１版第１刷発行、株式会社オーム社。
【発明の開示】
【発明が解決しようとする課題】
【０００３】
上述のように、コンテンツの受信側は移動可能な情報端末装置または車載端末装置へと変化しつつある。このため、例えばコンテンツが太陽光に負けない程度の色温度に設定してあった場合、コンテンツ受信側が一時的に影に入ったり、あるいは夜間等のように暗い状況では目に強い負荷がかかるため、極めて見づらい画面になっていた。逆に、コンテンツが夜間に合わせた色温度に設定してあった場合、受信側が一時的に太陽光に照らされたり、あるいは昼間等のように明るい状況では視認性が悪くなるため、やはり極めて見づらい画面になっていた。
【０００４】
そこで、本発明の目的は、上記問題を解決するためになされたものであり、コンテンツが太陽光に負けない程度の色温度に設定してあり且つ受信側が暗い状況である場合、またはコンテンツが夜間に合わせた色温度に設定してあり且つ受信側が明るい状況である場合に、極めて見づらいコンテンツにしてしまうことを解消する配色変換プログラム等を提供することにある。
【課題を解決するための手段】
【０００５】
この発明の配色変換処理プログラムは、光センサにより測定された測光量に応じてコンテンツの配色を変換して配信するための配色変換装置における配色変換処理プログラムであって、該光センサは路側に設置されたアクセスポイントに備えられ該アクセスポイントを介して光センサ側における測光量を該配色変換装置へ送信し、該コンテンツはネットワークを介して該配色変換装置と接続されたコンテンツ配信サーバから配信されるものであり、該配色変換装置のコンピュータに、前記光センサから送信された測光量に基づいて該光センサ側の明暗を判定させる明暗判定ステップ、前記コンテンツ配信サーバから配信されたコンテンツにおける文字色及び背景色による配色に基づいて、コンテンツ全体の色温度の高低を判定させる色温度判定ステップ、前記明暗判定ステップで光センサ側が暗いと判定され且つ前記色温度判定ステップでコンテンツの色温度が高いと判定された場合は該コンテンツの色温度を低くする方向に該コンテンツの配色を変換し、前記明暗判定ステップで光センサ側が明るいと判定され且つ前記色温度判定ステップでコンテンツの色温度が低いと判定された場合は該コンテンツの色温度を高める方向に該コンテンツの配色を変換する配色変換ステップ、前記配色変換ステップで配色が変換されたコンテンツを前記アクセスポイントを介して配信させる配信ステップを実行させるための配色変換処理プログラムである。
【０００６】
ここで、この発明の配色変換処理プログラムにおいて、前記光センサは車両に設置された車載装置に備えられ該車載装置及びアクセスポイントを介して該光センサ側における測光量を前記配色変換装置へ送信するものであり、前記配信ステップは前記配色変換ステップで配色が変換されたコンテンツを前記アクセスポイントを介して前記車載装置側へ配信させることができる。
【０００７】
この発明の配色変換処理プログラムは、光センサにより測定された測光量に応じてコンテンツの配色を変換するための車載装置における配色変換処理プログラムであって、該光センサは該車載装置の表示部の近傍に備えられ該表示部における測光量を該車載装置へ送信し、該コンテンツはネットワークを介して該車載装置と接続されたコンテンツ配信サーバから配信されるものであり、該車載装置のコンピュータに、前記光センサから送信された測光量に基づいて前記表示部側の明暗を判定させる明暗判定ステップ、前記コンテンツ配信サーバから配信されたコンテンツにおける文字色及び背景色による配色に基づいて、コンテンツ全体の色温度の高低を判定させる色温度判定ステップ、前記明暗判定ステップで前記表示部側が暗いと判定され且つ前記色温度判定ステップでコンテンツの色温度が高いと判定された場合は該コンテンツの色温度を低くする方向に該コンテンツの配色を変換し、前記明暗判定ステップで該表示部側が明るいと判定され且つ前記色温度判定ステップでコンテンツの色温度が低いと判定された場合は該コンテンツの色温度を高める方向に該コンテンツの配色を変換する配色変換ステップを実行させるための配色変換処理プログラムである。
【０００８】
この発明の記録媒体は、本発明のいずれかの配色変換処理プログラムを記録したコンピュータ読取り可能な記録媒体である。
【発明の効果】
【０００９】
本発明の配色変換処理プログラムによれば、コンテンツの受信側の光センサにより測定された測光量に応じてコンテンツ配信サーバから配信されディスク等に記録されたコンテンツの配色を変換した後、路側機側へ配信することができる。この結果、コンテンツが太陽光に負けない色温度に設定してあり且つ受信側が暗い状況である場合、またはコンテンツが夜間に合わせた色温度に設定してあり且つ受信側が明るい状況である場合に、極めて見づらいコンテンツとしてしまうことを解消する配色変換プログラム等を提供することができるという効果がある。
【発明を実施するための最良の形態】
【００１０】
以下、各実施例について図面を参照して詳細に説明する。
【実施例１】
【００１１】
図１は、本発明の実施例１における配色変換処理プログラムの実行環境１を示す。図１において、符号１６はインターネット、１４ａおよび１４ｂはインターネット１６と接続されルーティング機能を有するルータ、１０はルータ１４ａによりインターネット１６と接続されたコンテンツ配信サーバ、１２はルータ１４ｂによりインターネット１６と接続されたデータセンタ等のサーバ（配色変換装置）である。符号２２ａ、２２ｂ（以下、「２２ａ等」と略す）は路側に設置されサーバ１２と接続された路側機、１８ａ、１８ｂ（以下、「１８ａ等」と略す）は各々路側機２２ａ等に接続されたアクセスポイント、２０ａ、２０ｂ（以下、「２０ａ等」と略す）は各々アクセスポイント１８ａ等に備えられ路側機２２ａ等の周辺における光度等の種々の測光量を測定する光センサである。
【００１２】
図１に示されるように、コンテンツはコンテンツ配信サーバ１０からインターネット１６を介してデータセンタ等のサーバ１２へ配信され、サーバ１２側のディスク３８ａ（後述）等にコンテンツ７（後述）として記録される。一方、光センサ２０ａ等により測定された光センサ２０ａ等側における測光量は、アクセスポイント１８ａ等および路側機２２ａ等を介してサーバ１２へ送信される。サーバ１２上で実行される配色変換処理プログラムは、光センサ２０ａ等により測定された測光量に応じてコンテンツ配信サーバ１０から配信されディスク３８ａ等に記録されたコンテンツ７の配色を変換した後、路側機２２ａ等側へ配信する。
【００１３】
図２は、本発明の実施例１における配色変換処理プログラムの機能をフローチャートで示す。図２に示されるように、光センサ２０ａ等から送信された測光量に基づいて光センサ２０ａ等側の明暗を判定させる（明暗判定ステップ。ステップＳ１０）。コンテンツ配信サーバ１０から配信されディスク３８ａ等に記録されたコンテンツ７における文字色及び背景色による配色に基づいて、コンテンツ７全体の色温度の高低を判定させる（色温度判定ステップ。ステップＳ１２）。明暗判定ステップ（ステップＳ１０）で光センサ２０ａ等側が暗いと判定され且つ色温度判定ステップ（ステップＳ１２）でコンテンツ７の色温度が高いと判定された場合は、コンテンツ７の色温度を低くする方向にコンテンツ７の配色を変換する（ステップＳ１４）。一方、明暗判定ステップ（ステップＳ１０）で光センサ２０ａ等側が明るいと判定され且つ色温度判定ステップ（ステップＳ１２）でコンテンツ７の色温度が低いと判定された場合は、コンテンツ７の色温度を高める方向にコンテンツ７の配色を変換する（ステップＳ１６。以上、ステップＳ１４およびＳ１６で配色変換ステップを構成する）。次に、配色変換ステップ（ステップＳ１４およびＳ１６）で配色が変換されたコンテンツ７を、サーバ１２からアクセスポイント１８ａ等を介して配信させる（配信ステップ。ステップＳ１８）。明暗判定ステップ（ステップＳ１０）で光センサ２０ａ等側が暗いと判定され且つ色温度判定ステップ（ステップＳ１２）でコンテンツ７の色温度が低いと判定された場合、および暗判定ステップ（ステップＳ１０）で光センサ２０ａ等側が明るいと判定され且つ色温度判定ステップ（ステップＳ１２）でコンテンツ７の色温度が高いと判定された場合は、特にコンテンツ７の配色の変更は行なわず、そのまま配信ステップ（ステップＳ１８）で配信される。
【００１４】
以上より、本発明の実施例１によれば、コンテンツ配信サーバ１０からインターネット１６を介してデータセンタ等のサーバ１２へ配信されたコンテンツは、サーバ１２側のディスク３８ａ等にコンテンツ７として記録される。一方、光センサ２０ａ等により測定された光センサ２０ａ等側における測光量は、アクセスポイント１８ａ等および路側機２２ａ等を介してサーバ１２へ送信される。サーバ１２上で実行される配色変換処理プログラムは、光センサ２０ａ等により測定された測光量に応じてコンテンツ配信サーバ１０から配信されディスク３８ａ等に記録されたコンテンツ７の配色を変換した後、路側機２２ａ等側へ配信する。この結果、コンテンツ７が太陽光に負けない色温度に設定してあり且つ受信側（路側機２２ａ等側）が暗い状況である場合、またはコンテンツ７が夜間に合わせた色温度に設定してあり且つ受信側（路側機２２ａ等側）が明るい状況である場合に、極めて見づらいコンテンツ７としてしまうことを解消する配色変換プログラム等を提供することができる。
【実施例２】
【００１５】
図３は、本発明の実施例２における配色変換処理プログラムの実行環境２を示す。図３で図１と同じ符号を付した箇所は同じ要素を示すため説明は省略する。図３において、符号２４は路側機２２ａ等の周辺を走行する自動車（車両）、２６は自動車２４に設置されたカーナビゲーション装置または情報端末装置等の車載装置、２０は車載装置２６に備えられ車載装置２６の周辺、特に車載装置２６の表示部（不図示）付近における光度等の種々の測光量を測定するための光センサである。
【００１６】
実施例２が実施例１と異なる点は、光センサ２０がアクセスポイント１８ａ等ではなく車載装置２６に備えられた点にある。図３に示されるように、光センサ２０は車載装置２６の送信装置（不図示）及びアクセスポイント１８ａ等を介して光センサ２０側、特に上記表示部付近における測光量をサーバ１２へ送信する。ここで、実施例１における配信ステップ（図２のフローチャートにおけるステップＳ１８）は実施例２において、配色変換ステップ（同ステップＳ１４およびＳ１６）で配色が変換されたコンテンツ７をアクセスポイント１８ａ等を介して車載装置２６側へ配信させるように変更すればよい。
【００１７】
以上より、本発明の実施例２によれば、光センサ２０がアクセスポイント１８ａ等ではなく車載装置２６に備えられた場合、光センサ２０は車載装置２６の送信装置及びアクセスポイント１８ａ等を介して光センサ２０側、特に上記表示部付近における測光量をサーバ１２へ送信する。サーバ１２上で実行される配色変換処理プログラムは、光センサ２０により測定された測光量に応じてコンテンツ配信サーバ１０から配信されディスク３８ａ等に記録されたコンテンツ７の配色を変換した後、アクセスポイント１８ａ等を介して車載装置２６側へ配信する。この結果、コンテンツ７が太陽光に負けない色温度に設定してあり且つ受信側（光センサ２０側、特に上記表示部付近側）が暗い状況である場合、またはコンテンツ７が夜間に合わせた色温度に設定してあり且つ上記受信側が明るい状況である場合に、極めて見づらいコンテンツ７としてしまうことを解消する配色変換プログラム等を提供することができる。
【実施例３】
【００１８】
上述の実施例１および２において配色変換プログラムはサーバ１２上で実行されるものとされていた。しかし、配色変換プログラムは車載装置２６上で実行することもできる。この場合、実施例２と同様に光センサ２０は車載装置２６の表示部３４（後述）の近傍に備えられ表示部３４における測光量は車載装置２６のコンピュータへ送信される。コンテンツ７はインターネット１６を介して車載装置２６と接続されたコンテンツ配信サーバ１０から配信される。実施例３における配色変換プログラムの機能は、実施例１における図２のフローチャートで示される配色変換プログラムの機能と同様であるため、フローチャートは省略する。車載装置２６のコンピュータは、光センサ２０から送信された測光量に基づいて表示部３４側の明暗を判定する（明暗判定ステップ）。次に、コンテンツ配信サーバ１０から配信され車載装置２６のディスク３８ａ等に記録されたコンテンツ７における文字色及び背景色による配色に基づいて、コンテンツ７全体の色温度の高低を判定する（色温度判定ステップ）。明暗判定ステップで表示部３４側が暗いと判定され且つ色温度判定ステップでコンテンツ７の色温度が高いと判定された場合は、コンテンツ７の色温度を低くする方向にコンテンツ７の配色を変換し、一方、明暗判定ステップで表示部３４側が明るいと判定され且つ色温度判定ステップでコンテンツ７の色温度が低いと判定された場合は、コンテンツ７の色温度を高める方向にコンテンツ７の配色を変換する（配色変換ステップ）。コンテンツ７のデータがＨＴＭＬ（HyperText Markup Language）またはＸＭＬ（Extensible Markup Language）等である場合、配色タグと光センサ２０とを連携させて色パレット変換のように一括変換を施すこともできる。
【００１９】
以上より、本発明の実施例３によれば、配色変換プログラムを車載装置２６上で実行させた場合であっても実施例１および２と同様の効果を得ることができる。
【実施例４】
【００２０】
図４は、上述した各実施例を実現するための本発明のコンピュータ・プログラムを実行するコンピュータの内部回路３０を示すブロック図である。ここで、実施例１および２の場合、コンピュータとはサーバ１２のコンピュータを意味するものであり、一方実施例３の場合、コンピュータとは車載装置２６のコンピュータを意味する。図４に示されるように、ＣＰＵ３１、ＲＯＭ３２、ＲＡＭ３３、画像制御部３６、コントローラ３７、入力制御部４０および外部インタフェース（Ｉ／Ｆ）部４４はバス４６に接続されている。図４において、上述の本発明のコンピュータ・プログラムは、ＲＯＭ３２、ディスク３８ａまたはＣＤ−ＲＯＭ３８ｎ等の記録媒体（脱着可能な記録媒体を含む）に記録されている。ディスク３８ａには実施例１ないし３におけるコンテンツ７が記録されている。本発明のコンピュータ・プログラムは、ＲＯＭ３２からバス４６を介し、またはディスク３８ａ若しくはＣＤ−ＲＯＭ３８ｎ等の記録媒体からコントローラ３７を経由してバス４６を介しＲＡＭ３３へロードされる。入力制御部４０はマウス、キーボード等の入力操作部４２と接続され入力制御等を行う。画像メモリであるＶＲＡＭ３５は、実施例１および２ではサーバ１２、実施例３では車載装置２６の表示部３４の少なくとも一画面分のデータ容量に相当する容量を有しており、画像制御部３６はＶＲＡＭ３５のデータを画像データへ変換して表示部３４へ送出する機能を有している。外部Ｉ／Ｆ部４４は、本コンピュータが外部と通信する際の入出力インタフェース機能を有する。ここで外部とは、実施例１および２では路側機２２ａ等、実施例３では光センサ２０およびインターネット１６である。
【００２１】
ＣＰＵ３１が上述の本発明のコンピュータ・プログラムを実行することにより、本発明の目的を達成することができる。当該コンピュータ・プログラムは上述のようにＣＤ−ＲＯＭ３８ｎ等の記録媒体の形態でコンピュータＣＰＵ３１に供給することができ、当該コンピュータ・プログラムを記録したＣＤ−ＲＯＭ３８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【産業上の利用可能性】
【００２２】
本発明の活用例として、自動車に備えられた情報端末装置または車載端末装置でコンテンツを閲覧する場合等に適用することができる。
【図面の簡単な説明】
【００２３】
【図１】本発明の実施例１における配色変換処理プログラムの実行環境１を示す図である。
【図２】本発明の実施例１における配色変換処理プログラムの機能を示すフローチャートである。
【図３】本発明の実施例２における配色変換処理プログラムの実行環境２を示す図である。
【図４】本発明のコンピュータ・プログラムを実行するコンピュータの内部回路３０を示すブロック図である。
【符号の説明】
【００２４】
１，２  実行環境、  ７  コンテンツ、  １０  コンテンツ配信サーバ、  １２  サーバ、  １４ａ，１４ｂ  ルータ、  １６  インターネット、  １８ａ，１８ｂ  アクセスポイント、  ２０，２０ａ，２０ｂ  光センサ、  ２２ａ，２２ｂ  路側機、  ２４  自動車、  ２６  車載装置、  ３０  内部回路、  ３１  ＣＰＵ、  ３２  ＲＯＭ、  ３３  ＲＡＭ、  ３４  表示部、  ３５  ＶＲＡＭ、  ３６  画像制御部、  ３７  コントローラ、  ３８ａ  ディスク、  ３８ｎ  ＣＤ−ＲＯＭ、  ４０  入力制御部、  ４２  入力操作部、  ４４  外部Ｉ／Ｆ部、  ４６  バス。
【図１】
2005210325.tif 000003
【図２】
2005210325.tif 000004
【図３】
2005210325.tif 000005
【図４】
2005210325.tif 000006